(57)【要約】【課題】  複数数の対象装置を一台の操作端末装置で操作する等に際して、対象装置の選択を容易にする。【解決手段】  端末装置は、近距離無線通信で送信される識別子を受信する近距離受信手段と、撮像手段と、記憶手段と、識別子を受信中に撮像された画像と受信中の識別子を対応付けて前記記憶手段に記憶する端末制御手段と、を備える。【選択図】      図１
2015097313.tif 000002
【特許請求の範囲】
【請求項１】
近距離無線通信で送信される識別子を受信する近距離受信手段と、
撮像手段と、
記憶手段と、
識別子を受信中に撮像された画像と受信中の識別子を対応付けて前記記憶手段に記憶する端末制御手段と、を備える端末装置。
【請求項２】
前記撮像手段は、前記近距離受信手段が識別子を受信していなければ、撮像を行わない、請求項１の端末装置。
【請求項３】
表示手段と、
端末通信手段と、を備え、
前記端末制御部は、前記記憶手段に格納されている複数の画像を前記表示手段に表示し、選択された画像に対応付けられた識別子を前記端末通信受段から送信する、請求項１または２の端末装置。
【請求項４】
識別子を記憶するＩＤ記憶手段と、
近距離無線通信で、前記ＩＤ記憶手段が記憶する識別子を送信する近距離送信手段と、
運転通信手段と、
請求項２の端末装置が送信して、前記運転通信手段が受信した識別子が、前記ＩＤ記憶手段が記憶する識別子と一致する場合、前記端末装置から自装置の操作指示を受信する運転制御手段と、を備える被操作装置。
【請求項５】
指向性アンテナを備え、
前記近距離送信手段は前記指向性アンテナを用いて送信する、請求項４の被操作装置。
【請求項６】
前記運転制御手段は、オペレーティングシステムの未起動時には受信した操作指示を実行し、前記オペレーティングシステムが起動されている時には受信した操作指示を前記オペレーティングシステムに出力する、ＢＭＣファームウェアである、請求項４または５の被操作装置。
【請求項７】
請求項４乃至６の何れかの被操作装置と、前記端末装置を包含する操作システム。
【請求項８】
近距離無線通信で送信される識別子を受信し、
識別子を受信中に撮像された画像と受信中の識別子を対応付けて記憶する、方法。
【請求項９】
近距離無線通信で送信される識別子を受信する近距離受信手段と、撮像手段と、記憶手段と、を備えたコンピュータに、
識別子を受信中に撮像された画像と受信中の識別子を対応付けて前記記憶手段に記憶する処理を実行させるプログラム。
【発明の詳細な説明】
【技術分野】
【０００１】
本発明は、端末装置、被操作装置、操作システム、方法、および、プログラムに関する。特に、複数の装置からある装置を特定するための端末装置に関する。
【背景技術】
【０００２】
サーバ装置は、初期設定時および保守時にのみディスプレイ、キーボード、マウスが必要であり、通常運用時、これらは不要である。このため、複数台のサーバ装置に対してそれぞれディスプレイ、キーボード、マウスを準備するのは設置場所、費用面で非効率である。この問題を解決する為、SSU（Server Switch Unit）を準備することで1セットのディスプレイ、キーボード、マウスを共有して設置場所、費用面の効率化を図っている。
【０００３】
しかし、SSUには複数台のサーバ装置が接続されるため、操作対象のサーバ装置を特定するためには、SSUの各ポートに対して、どのサーバ装置が接続されているかの情報をSSUのインジケータもしくはSSUのスイッチ近傍にサーバ装置名を明記したラベルを貼りつける等が必要であった。しかし、SSUの表示のみを目視確認するだけでは、作業者の不注意から、誤った装置を選択してしまう可能性、ケーブルの配線ミスの可能性があった。
【０００４】
以下は、この問題に対応するための関連技術である。
【０００５】
特許文献１は表示部を備える携帯端末装置を開示する。この携帯端末装置は、自端末装置の位置と方向を特定し、あらかじめ記憶した処理装置の位置情報に基づいて、自端末装置から所定の距離範囲内、かつ、自装置の特定の方向に存在する所定の処理装置を特定し、当該処理装置を遠隔操作する為の操作画面を表示装置に表示させる。
【０００６】
特許文献２は、携帯電話でボイラーのコントローラを操作する操作システムを開示する。この携帯電話とコントローラは、赤外線通信により情報を送受信する。
【０００７】
特許文献３は、外部機器である表示装置を出力モニタとして利用する携帯端末装置を開示する。この携帯端末装置は、表示装置にオブジェクトを表示させ、表示装置に表示されたオブジェクトに対する操作を、携帯端末装置の操作として認識してそのオブジェクトに関する処理を行う。表示装置と携帯端末装置は、近距離通信、例えば、Bluetooth(登録商標)を介して直接的に通信接続される。
【０００８】
特許文献４は、位置情報をエリアに設けられた発信器から取得して送信する携帯端末装置を開示する。この携帯端末装置は、これにより位置を通知する。
【先行技術文献】
【特許文献】
【０００９】
【特許文献１】特開2012-90077号公報
【特許文献２】特開2004-241993号公報
【特許文献３】特開2012-185629号公報
【特許文献４】特開2008-235959号公報
【発明の概要】
【発明が解決しようとする課題】
【００１０】
上述の特許文献に開示された技術は、操作する装置の選択時に、操作者の使い勝手が悪い場合がある。特許文献１に開示された技術の場合、操作者は操作をする都度、操作する処理装置が特定できる位置に立って、携帯端末装置を正確に当該処理装置の方向に向ける必要がある。さらに、処理装置の位置が変わった場合は、携帯端末装置のデータを更新しなければならない。特許文献２及び３に開示された技術の場合、操作者は、操作中ずっと、操作対象装置の受信部分の近傍にいて、操作端末装置を当該受信部分の方向に向けなければならない。
【００１１】
本発明は、上記課題を解決して、複数の操作対象装置を一台の操作端末装置で操作する等に際して、使い勝手良く操作できるための技術を提供することを目的とする。
【課題を解決するための手段】
【００１２】
本発明の一実施の形態の端末装置は、近距離無線通信で送信される識別子を受信する近距離受信手段と、撮像手段と、記憶手段と、識別子を受信中に撮像された画像と受信中の識別子を対応付けて前記記憶手段に記憶する端末制御手段と、を備える。
【００１３】
本発明の一実施の形態の方法は、近距離無線通信で送信される識別子を受信し、識別子を受信中に撮像された画像と受信中の識別子を対応付けて記憶する。
【００１４】
本発明の一実施の形態のプログラムは、近距離無線通信で送信される識別子を受信する近距離受信手段と、撮像手段と、記憶手段と、を備えたコンピュータに、識別子を受信中に撮像された画像と受信中の識別子を対応付けて前記記憶手段に記憶する処理を実行させる。
【発明の効果】
【００１５】
本願発明は、複数数の対象装置を一台の操作端末装置で操作する等に際して、対象装置の選択を容易にする。
【図面の簡単な説明】
【００１６】
【図１】図１は、本発明の操作システム50の構成図である。
【図２】図２は、端末装置30の記憶部36が記憶するデータ構造を示す図である。
【図３】図３は、登録フェーズの端末制御部32と運転制御部15の動作フローチャートである。
【図４】図４は、指向性アンテナ11の送信範囲を示す図である。
【図５】図５は、運転フェーズの端末制御部32と運転制御部15の動作フローチャートである。
【図６】図６は、第２の実施形態の端末装置30の構成図である。
【発明を実施するための形態】
【００１７】
本発明のシステムは、例えば、概ね以下のように機能する。先ず、操作者が、複数台設置されたサーバ装置を、電子カメラ付携帯端末装置（スマートフォン、タブレット等）で写真をとる。当該携帯端末装置は、各々のサーバ装置について、撮影した写真とサーバ装置の識別子を対応付けて記憶する。その後、操作者が、サーバ装置を撮影した写真から選択すると、該当サーバ装置の操作画面が携帯端末装置に表示され、操作者は、携帯端末装置上のマウス操作、キー入力操作により、該当サーバ装置の操作を携帯端末装置で行う。
【００１８】
（第１の実施の形態：構成）
以下、本発明にかかるシステムについて、説明する。図１は、本発明の操作システム50の構成図である。操作システム50は、端末装置30と運転装置10を包含する。端末装置30は、例えば、携帯端末装置である。端末装置30は、台車などに搭載された装置であっても良い。運転装置10は、例えば、ラックに搭載されたブレードサーバ装置であり、一般に複数台存在する。運転装置10は、比較的密に配置された独立した筐体のサーバ装置であっても良い。
【００１９】
端末装置30は、表示部31、端末制御部32、近距離受信部33、撮像部34、端末通信部35、および、記憶部36を備える。
【００２０】
表示部31は、例えば、タッチ入力が可能なディスプレイ装置である。撮像部34は、例えば、電子式カメラである。記憶部36は、例えば、半導体メモリ装置である。
【００２１】
近距離受信部33は、例えば、赤外線通信受信装置である。端末通信部35は、無線通信装置である。端末通信部35は、必ずしも、近距離無線通信装置である必要はない。ただし、近距離受信部33が、端末通信部35の役割を兼務しても良い。この場合、近距離受信部33は送受信を行い、端末通信部35は不要である。
【００２２】
端末制御部32は、例えば、端末装置30の各部を制御する論理回路である。端末制御部32は、コンピュータでもある端末装置30のメモリ（図示されず）に格納され、そのプロセッサ（図示されず）によりより実行されるファームウェア、または、プログラムにより実現されても良い。
【００２３】
運転装置10は、Widows（登録商標）等のＯＳ（Operating System）を格納した外部記憶装置20に接続されている。外部記憶装置20は、複数の運転装置10に共用されていても良いし、運転装置10ごとに存在しても良い。
【００２４】
運転装置10は、指向性アンテナ11、近距離送信部12、ＩＤ記憶部13、運転通信部14、および、運転制御部15を備える。
【００２５】
ＩＤ記憶部13は、個々の運転装置10に割り当てられた固有の識別子を記憶する、例えば、半導体メモリ装置である。
【００２６】
近距離送信部12は、端末装置30の近距離受信部33と通信を行う装置である。近距離送信部12は、指向性アンテナ11からＩＤ記憶部13に記憶された識別子を送信する。運転通信部14は、端末装置30の端末通信部35と通信する無線通信装置である。近距離送信部12が、運転通信部14の役割を兼務しても良い。この場合、近距離送信部12は送受信を行い、運転通信部14は不要である。
【００２７】
運転制御部15は、例えば、運転装置10の各部を制御する論理回路である。運転制御部15は、コンピュータでもある運転装置10のメモリ（図示されず）に格納され、そのプロセッサ（図示されず）によりより実行されるファームウェア、または、プログラムにより実現されても良い。運転制御部15は、例えば、BMC FW （Baseboard Management Controller Firmware）である。BMC FWは、マザーボードに組み込まれ、コンピュータを構成するハードウェアの管理を行うマイクロ・コントローラを指す。
【００２８】
図２は、端末装置30の記憶部36が記憶するデータ構造を示す図である。記憶部36は、近距離受信部33が受信した運転装置10の識別子と、撮像部34が撮影した運転装置10の画像を対応付けて記憶する。
【００２９】
（第１の実施の形態：動作）
操作システム50の動作は、端末装置30の記憶部36にデータを登録する登録フェーズと、登録されたデータを利用して、端末装置30で運転装置10の操作を行う運転フェーズとに分かれる。
【００３０】
図３は、登録フェーズの端末制御部32と運転制御部15の動作フローチャートである。
【００３１】
まず、操作者は、運転装置10に設けられている識別用スイッチ（図示されず）をＯＮにする。すると、運転装置10の運転制御部15は、識別用スイッチがＯＮにされたことを検知して（Ｓ２１でＹ）、ＩＤ記憶部13に格納されている自装置の識別子の送信を開始する（Ｓ２２）。
【００３２】
次に、操作者は端末装置30を運転装置10の指向性アンテナ11の送信範囲に移動させながら、運転装置10から送信される識別子の読取りを行う。
【００３３】
図４は、指向性アンテナ11の送信範囲を示す図である。指向性アンテナ11は、送信範囲が、運転装置10の外観上の特徴部分、例えば、前面、ネームプレート添付部分など、が良く見える領域を包含するように選択、調整、および、搭載されている。
【００３４】
端末装置30の端末制御部32は、近距離受信部33を介して、識別子の読取りを繰り返し行い（図３のＳ１１）、識別子の読取りが出来た場合は（Ｓ１１でＹ）、それを操作者に通知する。例えば、端末制御部32は、読み取り動作中（Ｓ１１）、表示部31に撮像部34が取得しているカメラ画像を表示しておき、識別子を受信すると、受信した識別子を当該画像上に表示する。
【００３５】
識別子の読取りが出来た場合（Ｓ１１でＹ）、操作者は当該画像上の識別子を確認し、撮像部34を操作して、運転装置10の外観上の特徴部分を写真撮影する（Ｓ１２）。
【００３６】
なお、識別子の受信ができない間（Ｓ１１でＮ）は、端末制御部32が、撮像部34に写真撮影不可を指示する、または、撮像部34自身が写真撮影を拒否することとしても良い。
【００３７】
写真撮影（Ｓ１２）後、端末制御部32は、受信中の識別子と撮影した画像とを対応付けて、記憶部36に格納する（Ｓ１３）。
【００３８】
この動作を完了した操作者は、識別用スイッチをＯＦＦにする。すると、運転装置10の運転制御部15は、識別用スイッチがＯＦＦにされたことを検知して（Ｓ２３でＹ）、ＩＤ記憶部13に格納されている自装置の識別子の送信を終了する（Ｓ２４）。
【００３９】
以上で、一台の運転装置10の登録が完了する。運転装置10が複数台設置されている場合、操作者は、各々の運転装置10を対象に、この登録を繰り返し行う。その結果、複数の運転装置10の識別子と画像の対が端末装置30の記憶部36に格納される。
【００４０】
図５は、運転フェーズの端末制御部32と運転制御部15の動作フローチャートである。
【００４１】
操作者の指示を受けて、端末装置30の端末制御部32は、記憶部36に格納されている複数の運転装置10（運転装置10-1乃至運転装置10-n）の撮影画像を表示部31に表示する（Ｓ３１）。操作者は、表示された撮影画像の外観上の特徴に基づいて、操作対象の運転装置10を選択する。選択は、例えば、表示部31に表示された運転装置10の画像にタッチすることで行う。なお、この時、操作者は、必ずしも、運転装置10の近傍に居る必要はない。
【００４２】
端末制御部32は、画像の選択を検出すると（Ｓ３２でＹ）、選択された画像に対応する識別子を記憶部36から読み出して、端末通信部35から送信する（Ｓ３３）。
【００４３】
運転装置10の運転制御部15は、この識別子を運転通信部14経由で受信すると（Ｓ４１でＹ）、受信した識別子をＩＤ記憶部13に格納されている自装置の識別子と一致するか判断する（Ｓ４２）。一致する場合（Ｓ４２でＹ）、運転制御部15は“受信応答”を送信する（Ｓ４３）。一致しない場合（Ｓ４２でＮ）、運転制御部15は“受信応答”を送信しない。
【００４４】
端末制御部32は、この“受信応答”を受信すると（Ｓ３４でＹ）、運転制御部15との間で通信リンクを確立する（Ｓ３５、及び、Ｓ４５）。この後、端末装置30と運転装置10はこの通信リンクを経由して通信を行う。
【００４５】
例えば、運転制御部15は操作メニューを含む操作画面を端末制御部32に送信する。端末制御部32は、これを表示部31に表示する。操作者が、操作画面を見て、操作メニューを選択する、即ち、表示部31から操作指示を入力すると、端末制御部32が当該操作指示を運転制御部15に送信し（Ｓ３６）、受信した運転制御部15がこれを実行する（Ｓ４７）。操作指示の実行の結果、操作画面が変更されれば、運転制御部15は新たな操作画面を端末制御部32に送信する。
【００４６】
以降、このような繰り返しを続けて、操作者は、端末装置30を用いて、運転装置10を操作することができる。
【００４７】
操作指示は、マウス操作、キー操作であっても良い。端末制御部32は、端末装置30で実行されたマウス操作、キー操作を、端末装置30の端末通信部35から運転装置10の運転通信部14へ送信する（Ｓ３６）。この操作指示を、運転装置10の運転通信部14で受取った運転制御部15は、端末装置30で実行した操作と同じ動作を運転装置10上で実行する（Ｓ４７）。
【００４８】
操作指示は、ＯＳの起動であっても良い。操作者が端末装置30から、ＯＳの起動を入力すると（Ｓ３６）、運転制御部15は、外部記憶装置20からＯＳを読み込んできてこれを起動する（Ｓ４７）。なお、ＯＳ起動後、運転制御部15は受信した操作指示を実行せず、ＯＳに出力し、ＯＳから入力された情報（画面情報、等）を送信する。
【００４９】
本実施形態の操作システム50は、運転装置10の運用で通常使用しないディスプレイ、キーボード、マウスを使用する必要がなく、運転装置10のコストを削減する。さらに、SSUを使用する必要もなく、SSUを用いることによって操作者が誤った装置を選択したり、ケーブルの配線ミスをしたりするのを防止する。
【００５０】
その理由は、端末装置30が運転装置10の識別子を送信し、当該識別子を持つ運転装置10だけがこれに応答して、両者間で操作指示の送受信を行うからである。当該識別子を持たない運転装置10は応答せず、誤って両者間で操作指示の送受信を行わない。即ち、操作者は、端末装置30が識別子を送信した運転装置10を確実に選択して、その操作ができるのである。
【００５１】
本実施形態の操作システム50は、操作者がおこなう、操作対象となる運転装置10の選択を容易で確実なものとする。
【００５２】
その理由は、運転装置10が近距離通信で発信する当該装置の識別子を受信し、受信中に撮影した運転装置10の画像と対にして記憶するからである。
【００５３】
本実施形態の操作システム50は、ＯＳの起動に関係なく、運転装置10の運用で通常使用しないディスプレイ、キーボード、マウス、SSUを使用する必要がない。
【００５４】
その理由は、ＯＳとは別の運転制御部15が、端末装置30から操作指示を受信し、ＯＳが起動されていなければ操作指示を実行し、ＯＳが起動されていれば操作指示をＯＳに出力するからである。
【００５５】
本実施の形態の特徴を、以下に概括する。
【００５６】
運転装置10を制御する運転制御部15、例えばBMC FWは、これまで、運転装置10に直接接続されたディスプレイ、キーボード、マウスからのみ操作可能であった。本実施の形態は、BMC FWに、無線による、運転装置10の識別子の送受信、画面の送受信、マウス操作、キー入出力の制御を行う機能を実現する。これにより、運転装置10に直接ディスプレイ、キーボード、マウスが接続されていない場合でも、運転装置10に直接ディスプレイ、キーボード、マウスが接続されている場合と同じ操作を実現可能とする。
【００５７】
さらに、本実施の形態は、端末装置30に運転装置10と無線で通信を行い、運転装置10の識別子の読取り、画面送受信、マウス操作、キー入出力の制御を行う機能を実現する。これまで、端末装置30上で行ったマウス操作、キー入出力は、端末装置30上でのみ実行されていた。本機能により、操作者が端末装置30上でした操作は、その情報が無線通信で送信され、運転装置10上で行われたように運転装置10を運転することができる。
【００５８】
さらに、本実施の形態は、運転装置10の無線アンテナに指向性アンテナ11を採用し、端末装置30が操作対象の運転装置10が発信する無線信号を検知できるようする。端末装置30が、運転装置10の発信する指向性アンテナ11の範囲内にあるときにのみ、無線信号が検出され、操作対象運転装置10が存在していると判断する。操作対象運転装置10が存在した場合、端末装置30は運転装置10の識別子を無線通信により取得し、取得した識別子を端末装置30のカメラのモニタ画面に表示を行う。そして、操作者が運転装置10の写真撮影をする際、識別子が取得できた場合にのみ写真撮影が可能となる制御を行い、更に撮影した画像上に取得した識別子を同時に表示する。
【００５９】
（第２の実施の形態）
図６は、第２の実施形態の端末装置30の構成図である。
【００６０】
本実施の形態の端末装置30は、近距離無線通信で送信される識別子を受信する近距離受信部33と、撮像部34と、記憶部36と、識別子を受信中に撮像された画像と受信中の識別子を対応付けて記憶部36に記憶する端末制御部32とを備える。
【００６１】
本実施形態の操作システム50は、例えば、ユーザがおこなう、操作対象となる運転装置10の選択を容易で確実なものとする。その理由は、運転装置10が近距離通信で発信する当該装置の識別子を受信し、受信中に撮影した運転装置10の画像と対にして記憶するからである。
【００６２】
なお、本実施の形態の運転装置10は、必ずしも、端末装置30から操作指示を受信して、その実行を行う必要はない。識別子を知ることで、ユーザが運転装置10を選択することが可能なようになっていればよい。例えば、識別子が運転装置10のオ−ナー組織名であり、ユーザが組織名を知ることで運転装置10を選択して、当該装置の清掃をするような場合にも、記憶部36のデータは有効である。
【００６３】
以上、実施形態を参照して本願発明を説明したが、本願発明は上記実施形態に限定されるものではない。本願発明の構成や詳細には、本願発明のスコープ内で当業者が理解しうる様々な変更をすることができる。
【符号の説明】
【００６４】
10    運転装置
11    指向性アンテナ
12    近距離送信部
13    ＩＤ記憶部
14    運転通信部
15    運転制御部
20    外部記憶装置
30    端末装置
31    表示部
32    端末制御部
33    近距離受信部
34    撮像部
35    端末通信部
36    記憶部
50    操作システム
【図１】
2015097313.tif 000003
【図２】
2015097313.tif 000004
【図３】
2015097313.tif 000005
【図４】
2015097313.tif 000006
【図５】
2015097313.tif 000007
【図６】
2015097313.tif 000008